(57)【要約】【課題】回路基板上への取り付け設計の自由度を大きく広げることができるとともに、多段重ねができて省スペース化が可能な構成のカードコネクタを提供する。【解決手段】第１コンタクト３０は、ハウジング２０に固定された基部３２の上端側から片持ち状態で斜め上方に延びてその先端部がカード受容空間１４内に位置した接触部３４と、基部３２の下端側から下方に延びてハウジング２０の外部に突出したリード部３６とを有する。第２コンタクト４０は、ハウジング２０に固定された基部４２の下端側から片持ち状態で斜め下方に延びてその先端部がカード受容空間１４内に位置した接触部４４と、基部４２の上端側から上方に延びた後、下方に折り返されて第１コンタクト３０のリード部３６と同方向かつ平行に下方に延びてハウジング２０の外部に突出したリード部４６とを有する。【選択図】　　　　図６
2004055383.tif 000002
【特許請求の範囲】
【請求項１】
幅方向に並べられた複数の端子からなる端子列が二列平行に設けられたカードと接続されるカードコネクタであって、
前記カードが挿抜される開口部及びこの開口部と繋がるカード受容空間を有し、前記開口部より挿入された前記カードを前記カード受容空間内において保持するハウジングと、
前記ハウジングに固定された基部、前記基部の一端側から片持ち状態で延びてその先端部が前記カード受容空間内に位置した接触部及び前記基部の他端側から延びてその端部が前記ハウジングの外部に突出したリード部よりなる複数のコンタクトとを有し、
前記複数のコンタクトそれぞれの前記接触部は、前記カードが前記カード受容空間内に保持された状態で前記カードの前記端子と接触するようになっており、前記複数のコンタクトのうち、前記カード受容空間内に保持された前記カードの挿入時前端側に位置する前記端子列を構成する前記端子と接触する第１コンタクトは、前記接触部が前記基部から前記開口部側へ延びるとともに、前記リード部が前記基部から前記接触部とは反対側へ延びてその端部が前記ハウジングの外部に突出しており、
前記複数のコンタクトのうち、前記カード受容空間内に保持された前記カードの挿入時後端側に位置する前記端子列を構成する前記端子と接触する第２コンタクトは、前記接触部が前記基部から前記カード受容空間の前記カードの挿入方向奥側へ延びるとともに、前記リード部が前記基部から前記接触部とは反対側に延びた後折り返されて前記第１コンタクトの前記リード部と同方向かつ平行に延び、その端部が前記ハウジングの外部に突出していることを特徴とするカードコネクタ。
【発明の詳細な説明】
【０００１】
【発明の属する技術分野】
本発明は、小型の記憶装置が内蔵されたカードを挿抜自在に保持し、電子機器等の回路基板と繋がるコンタクトをカード側の端子と接触させて電子機器等とカードとの間で情報のやり取りを行わせるカードコネクタに関する。
【０００２】
【従来の技術】
カードコネクタは、小型の記憶装置（ＩＣチップ）が内蔵されたカード（いわゆるＩＣカードやＳＩＭカードなど）と接続して電子機器等との間の仲立ちをするコネクタであり、その構成はカードを挿抜自在に保持するハウジングと、このハウジングに保持されてカードの一面側に整列配設された端子と接触する複数のコンタクトとを備えたものとなっている。各々のコンタクトは回路基板の配線パターン上に半田着け等により接続されており、カードの端子と接触したこれらコンタクトは電子機器等とカードとの間の信号伝送路としての役割を果たす。
【０００３】
このようなカードコネクタにおいて使用されるカードの端子配列には種々のものがあり、例えばＳＩＭカード（Ｓｕｂｓｃｒｉｂｅｒ　Ｉｄｅｎｔｉｔｙ　Ｍｏｄｕｌｅ）はハウジング内への挿入方向に対して直交する前後二列の端子列を有している。したがって、このＳＩＭカード用のカードコネクタのコンタクト配列もこれに対応したものとなっており、具体的には、カードの端子と接触するコンタクトの接触部がハウジング上で前後二列に並ぶようにハウジングに固定されている。
【０００４】
図１１はこのようなＳＩＭカード用のカードコネクタの一例を示しており、複数のコンタクト９１が設けられたベースプレート９０に対してカードホルダ９２が開閉自在に取り付けられた構成となっている。このカードコネクタにＳＩＭカード１００を装着するには、先ずカードホルダ９２を開いた状態でこれにカード１００を挿入し、カードホルダ９２を閉じたうえで、ベースプレート９０に対してスライド移動させる。これによりカードホルダ９２はベースプレート９０にロックされ、カード１００の端子１０１はコンタクト９１の接触部９１ａと接触する。また、カード１００の脱着時には、カードホルダ９２を装着時とは反対方向にスライド移動させてロックを解除し、カードホルダ９２を開いてカード１００を取り出す。このような構成のカードコネクタは、例えば、特開平１１−２９７４１５号公報や特開２０００−１００５０２号公報などにおいて開示されている。
【０００５】
このようなカードコネクタでは上述のように、コンタクトにおけるカードの端子との接触部がハウジング上で前後二列に並ぶように設けられているため、これらコンタクトのうち接触部が後列側（カードホルダのヒンジがある側）に位置するものはそのリード部がハウジングの後方へ延びており、接触部が前列側に位置するものはそのリード部がハウジングの前方へ延びている。
【０００６】
【発明が解決しようとする課題】
しかしながら、このような従来のカードコネクタでは、下のような不都合な点があった。先ず、上記従来のカードコネクタでは回路基板と平行になるように取り付ける以外に取り付け方法がないことと、カードを挿脱するときにカードホルダを開閉するスペースが必要であることから、回路基板上への取り付け設計の自由度が大きく制限されていたことである。また、上記従来のカードコネクタではその構成上、複数のカードコネクタを多段重ねにすることができないため、カードコネクタを同一の回路基板上に複数個設置する場合には、多段重ねではなく回路基板上に並べるように設置する必要があった。これは、上段側に位置するカードコネクタの前列側に位置するコネクタのリード部が下方に延びると、その下段側に位置するカードコネクタはカードホルダの開閉ができないからであるが、カードコネクタを回路基板上に並列に設置するには面積の大きな回路基板が必要となり、省スペース化が妨げられてしまうという欠点があった。
【０００７】
本発明はこのような問題に鑑みてなされたものであり、回路基板上への取り付け設計の自由度を大きく広げることができるとともに、多段重ねができて省スペース化が可能な構成のカードコネクタを提供することを目的としている。
【０００８】
【課題を解決するための手段】
本発明に係るカードコネクタは、幅方向に並べられた複数の端子からなる端子列が二列平行に設けられたカードと接続されるカードコネクタであって、カードが挿抜される開口部及びこの開口部と繋がるカード受容空間を有し、開口部より挿入されたカードをカード受容空間内において保持するハウジングと、ハウジングに固定された基部、基部の一端側から片持ち状態で延びてその先端部がカード受容空間内に位置した接触部及び基部の他端側から延びてその端部がハウジングの外部に突出したリード部よりなる複数のコンタクトとを有し、複数のコンタクトそれぞれの接触部は、カードがカード受容空間内に保持された状態でカードの端子と接触するようになっており、複数のコンタクトのうち、カード受容空間内に保持されたカードの挿入時前端側に位置する端子列を構成する端子と接触する第１コンタクトは、接触部が基部から開口部側へ延びるとともに、リード部が基部から接触部とは反対側へ延びてその端部がハウジングの外部に突出しており、複数のコンタクトのうち、カード受容空間内に保持されたカードの挿入時後端側に位置する端子列を構成する端子と接触する第２コンタクトは、接触部が基部からカード受容空間のカードの挿入方向奥側へ延びるとともに、リード部が基部から接触部とは反対側に延びた後折り返されて第１コンタクトのリード部と同方向かつ平行に延び、その端部がハウジングの外部に突出している。
【０００９】
本発明に係るカードコネクタでは、第１コンタクトの接触部と第２コンタクトの接触部とは互いに反対方向に延びてその端部同士が向かい合う構成になっているが、第２コンタクトのリード部は第１コンタクトのリード部と同方向かつ平行に延びており、全てのリード部はハウジングの一面側（カードを挿抜する開口部とは反対側の面）から外部に引き出せるようになっている。このため、ハウジングから真っ直ぐに引き出したリード部を回路基板に挿入実装するようにすれば、カードの挿入方向を回路基板に垂直な方向とすることができ、従来に比して回路基板上への設計の自由度を広げることができる。また、本カードコネクタでは、従来のカードコネクタようにカードホルダを開閉させるようなことがないのでスペース的に有利であり、この点からも設計の自由度を広げることができる。また、本カードコネクタでは、コンタクトが取り付けられたベースプレートにカードを保持するカードホルダを開閉自在に取り付けた構成ではなく、これら両部材が一体にされた構成を有しているので部品点数が少なく、製造コストを抑えることもできる。更に、本カードコネクタでは、全てのリード部がカードを挿抜する開口部とは反対側から引き出されるため容易に多段重ね構造にすることが可能であり、大幅な省スペース化を図ることができる。
【００１０】
【発明の実施の形態】
以下、図面を参照して本発明の好ましい実施形態について説明する。図１〜図７は本発明の一実施形態に係るカードコネクタを示しており、図１は本カードコネクタ１０が回路基板８０に取り付けられている状態を、これに挿入されるＳＩＭカード（以下、単にカードと称する）１とともに示す斜視図である。図２（Ａ）はこのカードコネクタ１０単体の部分断面正面図であり、図２（Ｂ）はこのカードコネクタ１０の右側面図、図２（Ｃ）は左側面図、図２（Ｄ）は平面図、図２（Ｅ）は下面図である。また、図３は図２（Ａ）における矢視ＩＩＩ−ＩＩＩより見たカードコネクタ１０の断面図であり、図４は図２（Ａ）における矢視ＩＶ−ＩＶより見たカードコネクタ１０を、これに挿入取り付けされるカード１とともに示す断面図である。
【００１１】
カードコネクタ１０は回路基板８０上に取り付けられる直方体状のハウジング２０と、このハウジング２０内に保持された複数の第１コンタクト３０及び第２コンタクト４０とを有して構成されている。ハウジング２０は樹脂等の電気絶縁性材料からなっており、第１及び第２両コンタクト３０，４０はともに金属等の弾性及び導電性のある材料からなっている。
【００１２】
図１に示すように、ハウジング２０の上部には、２枚のカード１をハウジング２０に挿抜するための開口部１３が二つ前後に並んで設けられている。これら開口部１３はそれぞれハウジング２０の内部に形成された第１カード受容空間１４に繋がっている。これら二つのカード受容空間１４は上下方向延びるとともに前後方向に並んで設けられており、ハウジング２０の前面側に位置する開口部１３より挿入されたカード１はハウジング２０の前面側に位置するカード受容空間１４内において、またハウジング２０の背面側に位置する開口部１３より挿入されたカード１はハウジング２０の背面側に位置するカード受容空間１４内において保持されるようになっている。
【００１３】
カード１は図１に示すように、矩形平板状のカード本体２の一面側（ここでは裏面、すなわちハウジング２０の背面側に位置する面とする）に、カード本体２の内部に設けられた図示しないＩＣチップ（記憶装置）と繋がる複数の（ここでは８つ）平板状の端子３を有して構成されている。端子３はカード１の幅方向に４つずつ並べられてなる端子列が二列平行に設けられている。カード本体２の一隅には斜め４５度の角度で切断された形状の斜辺部２ａが設けられており、カード１はこの斜辺部２ａが左上方に位置する姿勢で（表面側すなわち端子３が設けられていない側の面が手前側になるように）、上方から真っ直ぐハウジング２０のカード受容空間１４内に挿入される。ここで、説明の便宜上、カード１に設けられる二列の端子列のうち、カード１の挿入方向前端側に位置する端子列（図１では図の下方に位置する端子列）を第１端子列と称し、カード１の挿入方向後端側に位置する端子列（図１では図の上方に位置する端子列）を第２端子列と称することにする。更に、第１端子列を構成する端子を第１端子３ａと称し、第２端子列を構成する端子を第２端子３ｂと称することにする。
【００１４】
ハウジング２０には図２及び図３に示すように、カード受容空間１４において保持されたカード１の第１端子３ａと接触する複数（ここでは４つ）の第１コンタクト３０と、カード受容空間１４において保持されたカード１の第２端子３ｂと接触する複数（ここでは４つ）の第２コンタクト４０とが設けられている。図５はこれら第１コンタクト３０及び第２コンタクト４０を対にして示す斜視図である。
【００１５】
図３及び図５から分かるように、第１コンタクト３０は、ハウジング２０に固定された基部３２と、この基部３２の上端側から片持ち状態で開口部１３側（斜め上方）にほぼ真っ直ぐに延びてその先端部がカード受容空間１４内に位置した接触部３４と、基部３２の下端側から接触部３４とは反対側（下方）へほぼ真っ直ぐに延びてその端部がハウジング２０の外部に突出したリード部３６とを有した構成となっている。一方、第２コンタクト４０は、ハウジング２０に固定された基部４２と、この基部４２の下端側から片持ち状態で斜め下方（カード受容空間１４の奥側）にほぼ真っ直ぐに延びてその先端部がカード受容空間１４内に位置した接触部４４と、基部４２の上端側から上方（接触部４４とは反対側）に延びた後下方に折り返されて第１コンタクト３０のリード部３６と同方向かつ平行に下方に延び、その端部がハウジング２０の外部に突出したリード部４６とを有した構成となっている。なお、第２コンタクト４０のリード部４６は図３に示すように自身の基部４２の背面側と、対となる第１コンタクト３０の基部３２の背面側との２箇所においてハウジング２０に支持されている。
【００１６】
このように本カードコネクタ１０では、全てのコンタクト３０，４０のリード部３６，４６はハウジング２０における開口部１３が設けられた側とは反対側の面（ここではハウジング２０の下面）よりハウジング２０の外部に引き出されている。これらリード部３６，４６は回路基板８０に上方から挿入実装され、ハウジング２０の下面も回路基板８０上に固定される。なお、図３及び図４に示すように、ハウジング２０の下面には位置決め突起２２が設けられており、これを回路基板８０上に設けられた位置決め穴（図示せず）内に嵌入させることにより、回路基板８０上での正確な位置決めができるようになっている。
【００１７】
両コンタクト３０，４０の接触部３４，４４は、ハウジング２０内にカード１が挿入されていない状態ではカード受容空間１４内に位置している（図３参照）。カード１を上述のように開口部１３より挿入すると、カード１はその裏面（端子３が設けられている側の面）において両コンタクト３０，４０の接触部３４，４４をハウジング２０の背面側（図３及び図４では紙面の右側）に押し退けて進み、前端部（図３及び図４では下端部）がハウジング２０内に形成されたストッパ２４（図２参照）に上方から当接したところでカード１の挿入が完了する。このカード１の挿入が完了した時点では、図６に示すように、第１コンタクト３０の接触部３４の先端部はカード１の第１端子３ａに接触し、第２コンタクト４０の接触部４４の先端部はカード１の第２端子３ｂに接触する。なお、前述のように、第１及び第２両コンタクト３０，４０はともに弾性材料からなっており、それぞれの接触部３４，４４はカード１により押し退けられている状態では復元力により元の姿勢に戻ろうとするため、両接触部３４，４４は適当な圧力をもって端子３（３ａ或いは３ｂ）に接触した状態となる。
【００１８】
ここで、図２に示すように、カード受容空間１４の最も奥側の位置には、一端側がハウジング２０に支持されて片持ち状態となり、他端側が上方に凸となる形状に折り返された板ばね５０がカード受容空間１４内をハウジング２０の幅方向に延びて設けられている。この板ばね５０はカード受容空間１４内にカード１が受容された状態で下方に撓み、カード１に上方へ押し出す付勢力を与える。
【００１９】
図２及び図４に示すように、ハウジング２０の左側には上下方向に延びた形状のカードロック部材６０が設けられている。このカードロック部材６０は金属等の弾性材料から構成されており、その下端部はハウジング２０のカード受容空間１４の背面側に設けられたカードロック部材取付溝２６に上方から挿入されて取り付けられている。このため、カードロック部材６０はその下端部を支点にしてハウジング２０の背面側に撓み変形することが可能である。このカードロック部材６０の上端部にはロック部６２が設けられており、このロック部６２には斜め４５度の角度のついた斜面部６２ａが形成されている。
【００２０】
図７（Ａ）は上方から下方へ矢印の順でカード１がハウジング２０のカード受容空間１４内に挿入される様子を示したものであり、上段はカード１を挿入する前の状態、中段はカード１を挿入してその前端部が板ばね５０に当接した状態、下段はカード１の前端部がハウジング２０内のストッパ２４に上方から当接してカード１がカード受容空間１４内に受容保持された状態をそれぞれ示している。また、図７（Ｂ）（図７（Ａ）の左方の円内に示す図）は、カードロック部材６０のロック部６２近傍をハウジング２０の左方より拡大して見た図である。カード１をカード受容空間１３内に挿入するときには、上述したように、カード１の斜辺部２ａが左上方に位置する姿勢にして前端部を開口部１３に合わせ、そのまま下方に押し込む。なお、カード１の前端部を開口部１３に合わせる際には、カード１の前端部でカードロック部材６０のロック部６２をハウジング２０の背面側に押圧するようにする。
【００２１】
カード１の挿入中にはカードロック部材６０はハウジング２０の背面側に撓んだ状態が維持される（図４及び図７（Ｂ）参照）。そして、カード１がストッパ２４に当接するまで押し込まれた状態では、カード１の斜辺部２ａがロック部６２の斜面部６２ａの下方に位置するために、カードロック部材６０は元の状態に復帰する。なお、この状態では、板ばね５０は下方に撓んでカード１を上方へ付勢しており、カードロック部材６０が元の姿勢に復帰することにより、カード１が板ばね５０により押し戻されることなく、カード受容空間１４内に位置した状態にロックされる。
【００２２】
ここで、カード１が正しい向きで挿入されなかったときには、カード１がストッパ２４に当接するまで押し込まれた状態になっても、カード１の斜辺部２ａでない他の角部はロック部６２の斜面部６２ａの下方に収まらないために、カードロック部材６０はハウジング２０の背面側に撓んだまま元の姿勢に復帰することができない。このため、板ばね５０の付勢力によるカード１の戻りが抑えられず、結果としてカード１を挿入状態にすることはできない。すなわちカードロック部材６０はカード１の誤挿入防止機能をも兼ね備えている。
【００２３】
また、挿入状態にロックされたカード１をハウジング２０より取り出すには、カードロック部材６０のロック部６２をハウジング２０の背面側に押圧操作すればよい。これによりカード１は板ばね５０の付勢力により上方へ押し上げられる。この状態になれば、カード１を指で摘んでハウジング２０より抜き去ることができる。
【００２４】
図７（Ｃ）はカード１がカード受容空間１４内に装着されている状態を検出する挿入検出器７０がハウジング２０内に設けられた場合の例を図７（Ａ）に対応して示したものである。この図から分かるように、挿入検出器７０はその基部７２がハウジング２０に固定されており、基部７２から下方に延びたリード部７６は第１及び第２両コンタクト３０，４０のリード部３６，４６と平行になっている。基部７２の上端部からは板ばね５０の下方においてこの板ばね５０と平行に延びる接触部７４が設けられており、カード１がカード挿入空間１４内に挿入されて板ばね５０が下方に撓んだ状態ではこれが挿入検出器７０の接触部７４に上方から接触するようになっている。
【００２５】
このような挿入検出器７０を用いる場合には、板ばね５０を金属等の導電性材料から構成するとともに、この板ばね５０と接続させた金属製のリード部材５６を挿入検出器７０のリード部７６とともにハウジング２０の下方に引き出しておくようにする。そして、これら挿入検出器７０のリード部７６と板ばね５０側のリード部材５６とを回路基板８０に接続させた上、挿入検出器７０の接触部７４と板ばね５０とが接触したときに閉回路が構成されてカード１の装着状態が検出されるようにすればよい。
【００２６】
カードコネクタ１０の構成は以上の通りであるが、本カードコネクタ１０では上述したように、第１コンタクト３０の接触部３４と第２コンタクト４０の接触部４４とは互いに反対方向に延びてその端部同士が向かい合う構成になっているが、第２コンタクト４０のリード部４６は第１コンタクト３０のリード部３６と同方向かつ平行に延びており、全てのコンタクト３０，４０のリード部３４，３６はハウジング２０の一面側（カード１を挿抜する開口部１３とは反対側の面）から外部に引き出せるようになっている。このため、ハウジング２０から真っ直ぐに引き出したリード部３６，４６を回路基板８０に挿入実装するようにすれば、上述の実施形態において示したように、カード１の挿入方向を回路基板８０に垂直な方向とすることができ、従来に比して回路基板８０上への取り付け設計の自由度を広げることができる。また、本カードコネクタ１０では、従来のカードコネクタようにカードホルダを開閉させるようなことがないのでスペース的に有利であり、この点からも設計の自由度を広げることができる。
【００２７】
また、本カードコネクタ１０では、コンタクトが取り付けられたベースプレートにカードを保持するカードホルダを開閉自在に取り付けた構成ではなく、これら両部材が一体にされた構成を有しているので部品点数が少なく、製造コストを抑えることもできる。更に、本カードコネクタ１０では、全てのリード部３６，４６がカード１を挿抜する開口部１３とは反対側から引き出されるため容易に多段重ね構造にすることが可能であり、大幅な省スペース化を図ることができる。
【００２８】
図８は上述のカードコネクタ１０の第１変形例を斜視図により示したものである。この第１変形例に係るカードコネクタ１１０は、上述のカードコネクタ１０の備えるスロットの段数を上述の例の二段より増大させた場合の例である。このような三段以上のスロット段数を有するカードコネクタ１１０では、上述の二段のカードコネクタ１０におけるカード受容空間１４、第１及び第２両コンタクト３０，４０、板ばね５０，及びカードロック部材６０からなる構成を単に増大させるだけでよく、何段にでも増大させることができる。
【００２９】
図９は上記カードコネクタ１０の第２変形例を斜視図により示したものであり、図９（Ａ）は斜め前上方より見た図、図９（Ｂ）は斜め後上方から見た図である。この第２変形例に係るカードコネクタ２１０は、上述のカードコネクタ１０のリード部３６，４６をハウジング２０の背面側に屈曲させるとともに、カード１の挿入方向が回路基板８０に平行になるようにハウジング２０を回路基板８０に横倒しに取り付けたものである。この形態のカードコンタクト２１０では、リード部３４，４６の回路基板８０への接続は挿入実装だけでなく、表面実装により行うこともできる。
【００３０】
図１０はカードコネクタ１０の第３変形例を示す図であり、上記第２変形例に係るカードコネクタ２１０の備えるスロット段数を二段より増大させた場合の例である。このような三段以上のスロット段数を有するカードコネクタ３１０では、上述の第１変形例の説明において述べたように、二段のカードコネクタ１０におけるカード受容空間１４、第１及び第２両コンタクト３０，４０、板ばね５０及びカードロック部材６０からなる構成を単に増大させるだけでよく、何段にでも増大させることができる。
【００３１】
これまで本発明の好ましい実施形態について説明してきたが、本発明の範囲は上述の実施形態において示したものに限定されない。例えば、上述の実施形態においては、対象となるカードはＳＩＭカードであるとして説明したが、本発明に係るカードコネクタは、内部に記憶装置及びこれと繋がる複数の端子を有して構成されるカードであればＳＩＭカードに限られず、他のカードを対象とすることもできる。また、上述の実施形態では、対象となるカードに設けられた端子は８つであり、カードコネクタに備えられるコンタクトもこれに対応して８つであったが、これは一例であり、カード側の端子数及びカードコネクタ側のコンタクト数は特に限定されない。また、上述の実施形態において示したカードコネクタが備えるスロットの段数は二段以上であったが、これは単段（スロット数が一つ）であっても勿論構わない。
【００３２】
【発明の効果】
以上説明したように、本発明に係るカードコネクタでは、第１コンタクトの接触部と第２コンタクトの接触部とは互いに反対方向に延びてその端部同士が向かい合う構成になっているが、第２コンタクトのリード部は第１コンタクトのリード部と同方向かつ平行に延びており、全てのリード部はハウジングの一面側（カードを挿抜する開口部とは反対側の面）から外部に引き出せるようになっている。このため、ハウジングから真っ直ぐに引き出したリード部を回路基板に挿入実装するようにすれば、カードの挿入方向を回路基板に垂直な方向とすることができ、従来に比して回路基板上への設計の自由度を広げることができる。また、本カードコネクタでは、従来のカードコネクタようにカードホルダを開閉させるようなことがないのでスペース的に有利であり、この点からも設計の自由度を広げることができる。
【００３３】
また、本カードコネクタでは、コンタクトが取り付けられたベースプレートにカードを保持するカードホルダを開閉自在に取り付けた構成ではなく、これら両部材が一体にされた構成を有しているので部品点数が少なく、製造コストを抑えることもできる。更に、本カードコネクタでは、全てのリード部がカードを挿抜する開口部とは反対側から引き出されるため容易に多段重ね構造にすることが可能であり、大幅な省スペース化を図ることができる。
【図面の簡単な説明】
【図１】本発明の一実施形態に係るカードコネクタが回路基板上に取り付けられている状態を、これに挿入されるカードとともに示す斜視図である。
【図２】（Ａ）はこのカードコネクタ単体の部分断面正面図であり、（Ｂ）はこのカードコネクタの右側面図、（Ｃ）は左側面図、（Ｄ）は平面図、（Ｅ）は下面図である。
【図３】図２（Ａ）における矢視ＩＩＩ−ＩＩＩより見たカードコネクタの断面図である。
【図４】図２（Ａ）における矢視ＩＶ−ＩＶより見たカードコネクタを、これに挿入取り付けされるカードとともに示す断面図である。
【図５】第１コンタクト３０及び第２コンタクトを対にして示す斜視図である。
【図６】カードがカード受容空間内に挿入されて第１コンタクトの接触部がカードの第１端子に接触し、第２コンタクトの接触部がカードの第２端子に接触している状態を示すカードコネクタの断面図である。
【図７】（Ａ）は上方から下方へ矢印の順でカードがハウジングのカード受容空間内に挿入される様子を示す図であり、（Ｂ）はカードロック部材のロック部近傍をハウジングの左方より拡大して見たものを（Ａ）に対応させて示す図である。（Ｃ）は挿入検出器を用いた場合の例を（Ａ）に対応して示す図である。
【図８】第１変形例に係るカードコネクタの斜視図である、
【図９】第２変形例に係るカードコネクタの斜視図であり、（Ａ）は斜め前上方より見た図、（Ｂ）は斜め後上方から見た図である。
【図１０】第３変形例に係るカードコネクタの斜視図である。
【図１１】従来のカードコネクタの一例を示す斜視図である。
【符号の説明】
１　　　ＳＩＭカード
３　　　端子
１０　　カードコネクタ
１３　　開口部
１４　　カード受容空間
２０　　ハウジング
３０　　第１コンタクト
３２　　基部
３４　　接触部
３６　　リード部
４０　　第２コンタクト
４２　　基部
４４　　接触部
４６　　リード部
５０　　板ばね
６０　　カードロック部材
６２　　ロック部
６２ａ　斜面部
８０　　回路基板
【図１】
2004055383.tif 000003
【図２】
2004055383.tif 000004
【図３】
2004055383.tif 000005
【図４】
2004055383.tif 000006
【図５】
2004055383.tif 000007
【図６】
2004055383.tif 000008
【図７】
2004055383.tif 000009
【図８】
2004055383.tif 000010
【図９】
2004055383.tif 000011
【図１０】
2004055383.tif 000012
【図１１】
2004055383.tif 000013